(57)【要約】【課題】  部品のリードを切断するための切断刃の交換を容易に行うことができるリード切断装置を提供する。【解決手段】  ２つのレバー４６，４８の一方に切断刃５０が設けられ、他方にリードを挟持する部分５６が設けられて、それら２つのレバーを連動させて切断を行うリード切断装置２０において、その切断刃の交換のために、２つのレバーを相対回動させる治具８０を付属させる。上記治具を用いることによって、上記リードを挟持する部分が切断刃の交換においてその交換を邪魔することがないため、切断刃の交換が容易に行える【選択図】  図９
2018111173.tif 000002
【特許請求の範囲】
【請求項１】
複数のリードが一方向に延びだす部品がテープ化されたテープ化部品からその部品を前記複数のリードを切断しつつ１つずつ供給する部品フィーダに用いられるリード切断装置であって、
前記部品フィーダの本体であるフィーダ本体に回動可能に保持された第１レバーと、
前記第１レバーの上端部に締結材によって交換可能に取付けられ、前記複数のリードのうちの少なくとも１つのリードを切断するための可動刃と、
前記フィーダ本体に回動可能に保持され、上端部に、前記可動刃の上方において前記少なくとも１つのリードを挟持するための挟持部を有する第２レバーと、
前記第１レバーおよび前記第２レバーと前記テープ化部品に保持された部品を挟んで対向するようにして前記フィーダ本体に固定され、(a) 前記可動刃とによって前記少なくとも１つのリードを切断する固定刃と、(b) その固定刃の上方において前記第２レバーの前記挟持部とによって前記少なくとも１つのリードを挟持する挟持部とが設けられた固定部材と、
前記第１レバーを、前記可動刃が前記固定刃から離れる方向に付勢する第１付勢部材と、
前記第２レバーを、当該第２レバーの前記挟持部が前記固定部材の前記挟持部に接近する方向に付勢する第２付勢部材と、
前記第１レバーを、前記第１付勢部材の付勢力に抗して、前記可動刃が前記固定刃に向かう向きに回動させる第１レバー駆動機構と
を備え、
当該リード切断装置による前記少なくとも１つのリードの切断動作が行われる前には、前記第１付勢部材の付勢力によって、前記第１レバーが、前記可動刃が前記固定刃から離間した退避位置に位置する位置に位置させられるとともに、前記第２付勢部材の付勢力によって、前記第２レバーが、前記第１レバーに係止されて、前記第２レバーの前記挟持部も前記固定部材の前記挟持部から離間した退避位置に位置する位置に位置させられ、
当該リード切断機構による前記少なくとも１つのリードの切断動作が行われる際には、前記第１レバー駆動機構によって前記第１レバーが回動させられることにより、前記第１レバーと前記第２レバーとが、前記第２レバーが前記第１レバーに係止された状態でともに回動し、前記第２レバーの前記挟持部と前記固定部材の前記挟持部とが前記少なくとも１つのリードを挟持した後に、前記第１レバーだけがさらに回動し、前記可動刃と前記固定刃とによる前記少なくとも１つリードの切断が、前記２つの挟持部によって挟持された箇所よりも下方の箇所において行われるように構成されるとともに、
当該リード切断装置に、
前記可動刃の交換の際に用いられ、前記第２付勢部材の付勢力による前記第１レバーによる前記第２レバーの係止を解除して、前記第１レバーを前記第２レバーに対して回動させるための刃交換治具が付属していることを特徴とするリード切断装置。
【請求項２】
前記刃交換治具が、
前記第２レバーに係止され、
前記第１レバーに向かって突出して先端が第１レバーに当接する突出部を有し、その突出部の突出代を増加させることによって、前記第１レバーを前記第２レバーに対して回動させるように構成された請求項１に記載のリード切断装置。
【請求項３】
前記第２レバーに雌ねじ穴が設けられており、
前記刃交換治具が、その雌ねじ穴に螺合する雄ねじロッド部を有し、その雄ねじロッド部が、前記雌ねじ穴を貫通して先端が前記第１レバーに当接することで、前記突出部として機能するように構成された請求項２に記載のリード切断装置。
【請求項４】
前記刃交換治具が、
前記第２レバーの前記挟持部が前記退避位置に位置する状態で、前記可動刃を前記固定刃とによって前記少なくとも１つのリードを切断する位置にまで位置させることが可能なように構成された請求項１ないし請求項３のいずれか１つに記載のリード切断装置。
【請求項５】
前記可動刃と前記第２レバーの前記挟持部とがともに前記退避位置に位置する状態において、前記可動刃の上方が、前記第２レバーの前記挟持部に覆われており、
前記刃交換治具が、
上方から見て前記可動刃が前記第２レバーの前記挟持部から露出するように、前記第１レバーを前記第２レバーに対して回動させるように構成された請求項１ないし請求項４のいずれか１つに記載のリード切断装置。
【請求項６】
前記固定部材が、前記少なくとも１つのリードの切断の際における前記固定刃の前記可動刃に対する位置を調整可能に、前記フィーダ本体に固定されている請求項１ないし請求項５のいずれか１つに記載のリード切断装置。
【発明の詳細な説明】
【技術分野】
【０００１】
本発明は、複数のリードが一方向に延びだす部品がテープ化されたテープ化部品からその部品を前記複数のリードを切断しつつ１つずつ供給する部品フィーダに用いられるリード切断装置に関する。
【背景技術】
【０００２】
複数のリードが一方向に延びだす部品、いわゆる、ラジアル部品は、その部品がリードにおいてキャリアテープに保持されたテープ化部品とした態様で供給される。そのテープ化部品から部品を１つずつ供給位置において供給するために、いわゆるラジアル部品フィーダ（以下、単に、「部品フィーダ」と言う場合がある）が用いられる。そのような部品フィーダは、例えば、下記特許文献に示すように、部品をキャリアテープから分離するためのリード切断装置を備えている。
【先行技術文献】
【特許文献】
【０００３】
【特許文献１】特開２０１６−２８４５２号公報
【発明の概要】
【発明が解決しようとする課題】
【０００４】
上記特許文献に記載されたようなリード切断装置では、リードを切断するための切断刃を有しており、その切断刃は、ある意味で消耗品であり、交換することが要求される。ところが、例えば、リードの適切な切断のため、切断の際に切断箇所よりも部品本体に近い箇所においてリードを挟持して固定するための機構を有するリード切断装置では、その機構が邪魔をして、切断刃を容易には交換できないという問題がある。本発明は、そのような実情に鑑みてなされたものであり、切断刃の交換を容易に行うことができるリード切断装置を提供することを課題とする。
【課題を解決するための手段】
【０００５】
上記課題を解決するため、本発明のリード切断装置は、
２つのレバーの一方に切断刃が設けられ、他方にリードを挟持する部分が設けられて、それら２つのレバーを連動させて切断を行うリード切断装置であって、その切断刃の交換のために、２つのレバーを相対回動させる治具が付属されていることを特徴とする。
【発明の効果】
【０００６】
本発明のリード切断装置によれば、上記治具を用いることによって、上記リードを挟持する部分が切断刃の交換においてその交換を邪魔することがないため、切断刃の交換が容易に行えることになる。
【図面の簡単な説明】
【０００７】
【図１】実施例のリード切断装置が配備された部品フィーダによって供給される部品、および、その部品がテープ化されたテープ化部品を示す図である。
【図２】実施例のリード切断装置が配備された部品フィーダの外観を示す斜視図である。
【図３】実施例のリード切断装置を、それの外装を外した状態で示す斜視図である。
【図４】実施例のリード切断装置が配備された部品フィーダを構成する部品押え装置を示す斜視図である。
【図５】実施例のリード切断装置を示す斜視図である。
【図６】実施例のリード切断装置の要部を拡大して示す斜視図である。図６（ｂ）は、図６（ａ）の反対側からの視点で示す。
【図７】実施例のリード切断装置の要部を、前方からの視点で示す断面図である。
【図８】実施例のリード切断装置の要部を、それが切断動作を行った状態において、前方からの視点で示す断面図である。
【図９】実施例のリード切断装置に付属している刃交換治具を用いたところを模式的に示す図である。
【発明を実施するための形態】
【０００８】
以下、本発明の実施形態であるリード切断装置の実施例について、図を参照しつつ詳しく説明する。なお、本発明は、下記実施例の他、当業者の知識に基づいて種々の変更、改良を施した種々の形態で実施することができる。
【実施例】
【０００９】
実施例のリード切断装置によってリードが切断される部品、すなわち、実施例のリード切断装置を備えた部品フィーダから供給される部品Ｐは、例えば、図１に示すように、部品本体PBから、一方向（図では下方）に複数のリードLe（図では２本のリードLeであり、以下、部品Ｐを２本のリードLeを有するものとして扱う）が延び出しており、キャリアテープCTに保持されたテープ化部品TPとして供給される。部品Ｐは、キャリアテープCTに等ピッチp1で保持され、キャリアテープCTには、そのピッチp1と等しいピッチp2で送り穴FHが穿設されている。部品Ｐは、図に破線で示す切断線Cuの位置においてリードLeが切断されて供給される。
【００１０】
実施例のリード切断装置を備えた部品フィーダ１０は、図２に示すようなものである。図における左側を前方，右側を後方とし、前方から見た状態における右側（図の手前側を）を右方，左側（図の奥側）を左方として、説明すれば、テープ化部品CTは、部品Ｐが上になるようにして間欠的に送られ、図に示す部品供給位置SSに位置する部品Ｐが、リードLeが切断されることでキャリアテープCTから分離されて、その部品供給位置SSにおいて供給される。部品フィーダ１０は、部品装着機（「部品挿入機」と呼ぶこともできる）に配備され、部品装着機は、自身の有する部品保持ヘッドが、当該部品供給位置SSにおいて、分離された部品Ｐ、つまり、当該部品フィーダ１０によって１つずつ供給される部品Ｐを保持し、その部品Ｐを基板保持装置によって保持された基板に装着するように構成されている。
【００１１】
部品フィーダ１０は、外装を外して示す図３から解るように、テープ化部品TPを後方から前方に向かって案内するガイドレール１２を備えて当該部品フィーダ１０の本体（フィーダ本体）として機能する基体フレーム１４と、それぞれが基体フレーム１４に支持された送り装置１６，部品押え装置１８，リード切断装置２０とを含んで構成されている。このリード切断装置２０が、実施例のリード切断装置である。
【００１２】
送り装置１６は、爪２２をキャリアテープCTに穿設された送り穴FHに挿入して、その爪２２をピッチp1（p2）だけ前方に移動させる１回の送り動作で、キャリアテープCTをそのピッチp1だけ送るように構成されている。駆動源は、後に説明するリード切断装置２０が兼ねているため、送り装置１６とリード切断装置２０とは、同期して動作させられる。送り装置１６の構造は一般的なものであるため、その構造の詳細な図示および説明は省略する。
【００１３】
部品押え装置１８は、部品供給位置SSに位置させられた部品ＰのリードLeを切断する際に、その部品Ｐを押える装置である。部品押え装置１８は、図４に示すように、駆動源となるエアシリンダ２４，バックアップブロック２６，Ｖブロック２８，リンク機構３０を含んで構成されており、エアシリンダ２４によってＶブロック２８をリンク機構３０を介してバックアップブロック２６に向かって移動させることにより、Ｖブロック２８によって部品Ｐの部品本体PBをバックアップブロック２６に押え付ける。部品押え装置１８は、本願発明との関係が薄いため、当該部品押え装置１８の説明は、この程度に留める。
【００１４】
リード切断装置２０は、図５に示すように、駆動源としてのエアシリンダ４０と、基体フレーム１４に固定的に配設された支持ブロック４２と、支持ブロック４２によって位置調整可能に固定的に支持される固定部材４４と、それぞれが回動軸線Ｌ回りに回動可能に支持ブロック４２を介して基体フレーム１４に保持された第１レバー４６および第２レバー４８とを含んで構成されている。ちなみに、第２レバー４８は、板金加工によって作製されている。
【００１５】
当該リード切断装置２０の要部を、拡大して示す斜視図である図６（ａ），図６（ｂ）、および、前方側からの視点で示す断面図である図７をも参照して説明すれば、本部品フィーダ１０では、テープ化部品TPは、第１レバー４６，第２レバー４８と、支持ブロック４２，固定部材４４との間を通過するようにされており、第１レバー４６の上端部には、チップブレード５０が、締結材である六角穴付ボルト５２によって取付けられ、そのチップブレード５０の右側の突端は、部品ＰのリードLeを切断するための可動刃５４（切断刃の一種）とされている。また、第２レバー４８の上端部は、可動刃５４の上方において部品ＰのリードLeを挟持するための挟持部５６とされている。一方、固定部材４４は、断面がＬ字状をなす部材であり、左端の下方の部分が、上記可動刃５４とによって部品ＰのリードLeを切断するための固定刃５８（切断刃の一種）とされ、左端部全体が、固定刃５８の上方において、第２レバー４８に設けられた上記挟持部５６とによって部品ＰのリードLeを挟持するための挟持部６０とされている。
【００１６】
リード切断装置２０は、基体フレーム１４に固定された支持板６２を有しており、この支持板６２と第１レバー４６との間には、第１レバー４６を、上記可動刃５４が上記固定刃５８から離れる方向（図７において、第１レバー４６が反時計回りに回動する方向）に付勢する第１付勢部材である圧縮コイルスプリング６４が配設され、また、支持板６２と第２レバー４８との間には、第２レバー４８を、当該第２レバー４８の挟持部５６が固定部材４４の挟持部６０に接近する方向に付勢する第２付勢部材としての引張コイルスプリング６６が配設されている。図７に示す状態は、当該リード切断装置２０による切断動作が行われる前の状態を示しており、圧縮コイルスプリング６４の付勢力によって第１レバー４６に作用する回動力が引張コイルスプリング６６の付勢力によって第２レバー４８に作用する回動力よりも大きくされていることから、その状態では、圧縮コイルスプリング６４の付勢力によって、可動刃５４が固定刃５８から離間した退避位置に位置する位置に第１レバー４６が位置させられるとともに、引張コイルスプリング６６の付勢力によって第２レバー４８が第１レバー４６に係止されて、第２レバー４８の挟持部５６も、固定部材４４の挟持部６０から離間した退避位置に位置させられている。ちなみに、支持板６２は、第１レバー４６および第２レバー４８のストッパとなる係止部６８が設けられており、切断動作が行われる前には、第２レバー４８は、直接、また、第１レバー４６は、第２レバー４８を介して係止部６８に係止され、可動刃５４，第２レバー４８の挟持部５６がともに、上記退避位置に位置する状態となっている。
【００１７】
第１レバー４６の下端部には、カムフォロアとして機能するローラ７０が付設されている。一方で、図５を参照して解るように、本リード切断装置２０は、エアシリンダ４０によって進退させられるカムブロック７２が設けられており（図５参照）、そのカムブロック７２の左方の面がカム面として機能して、その面に上記ローラ７０が係合するようにされている。切断動作が行われる場合には、エアシリンダ４０によってカムブロック７２が前進させられる。つまり、エアシリンダ４０，カムブロック７２，ローラ７０を含んで、第１レバー４６を回動させる第１レバー駆動機構７４が構成されているのである。
【００１８】
上記カムブロック７２の前進によって、切断動作が行われて、図８に示す状態に移行する。図７，図８を参照しつつ、詳しく説明すれば、まず、第１レバー駆動機構７４によって第１レバー４６が図における時計回りに回動させられることにより、第１レバー４６と第２レバー４８とが、第２レバー４８が第１レバー４６に係止された状態を維持しながらともに回動し、第２レバー４８の挟持部５６と固定部材４４の挟持部６０とがリードLeを挟持した後に、第１レバー４６だけがさらに回動し、可動刃５４と固定刃５８とによるリードLeの切断が、２つの挟持部５６，６０によって挟持された箇所よりも下方の箇所において行われる。
【００１９】
切断刃は、長期の使用により磨耗するため、消耗品として扱われ、交換に供される。特に、上記可動刃５４は、先が尖っているため消耗が比較的大きく、交換の頻度は、上記固定刃５８と比較して高い。可動刃５４の交換の際には、六角穴付ボルト５２を外して行う。ところが、図７，図８から解るように、可動刃５４と第２レバー４８の挟持部５６とがともに退避位置に位置している状態では、可動刃５４の上方が第２レバーの挟持部５６によって覆われており、交換する際には、その挟持部５６を退避位置に位置させたまま、第１レバー４６だけを回動させて、上方から見て可動刃５４がその挟持部５６から露出する状態を実現させなければならない。その状態の実現は、困難を伴う。
【００２０】
上記困難に鑑み、本リード切断装置２０には、可動刃５４の交換のために、図９に示すような刃交換治具８０が付属している。刃交換治具８０は、先端からある領域にかけて雄ねじ８２が形成された雄ねじロッド部８４と、その雄ねじロッド部８４の後端に付設されたハンドル部８６とを有するものである。第２レバー４８の背面には、穴が形成され、その穴の部分に、雌ねじ穴として機能するナット８８が付設されている。刃交換治具８０は、雄ねじロッド部８４をナット８８に先端から螺合させて、ハンドル部８６を回してねじ込むようにして使用する。雄ねじロッド部８４は、ナット８８によって第２レバー４８に係止された状態で、ナット８８を貫通して第１レバー４６に向かって突出し、先端が第１レバーの背面に当接する。つまり、雄ねじロッド部８４の先端部は、突出部として機能し、それの突出代を増加させることによって、第１レバー４６を第２レバー４８に対して回動させる。
【００２１】
上記突出代を大きくすることによって、圧縮コイルスプリング６４，引張コイルスプリング６６それぞれの付勢力の差により、図９に示すように、第２レバー４８は、挟持部５６が退避位置に位置する位置に位置させられた状態で、可動刃５４を固定刃５８とによってリードLeを切断する位置にまで位置させることが可能となる。その位置まで位置させられた状態では、可動刃５４は、挟持部５６に対して露出させられた状態となり、その状態において、可動刃５４の交換を容易に行うことができるのである。
【００２２】
上記刃交換治具８０による可動刃５４の交換は、人力によって行うことができ、とても簡便であり、また、何らかの動力源を必要としない。また、他の動力源を利用した場合において不用に切断刃が動作するような危険性はなく、さらに、交換の作業を行う作業者の両手が空くため、その交換の作業性は良好である。
【００２３】
なお、本リード切断装置２０では、締結材であるボルト９０によって、支持ブロック４２に固定部材４４が固定されており、そのボルト９０を緩めることにより、固定部材４４に設けられた固定刃５８の位置調整、詳しく言えば、リードLeの切断における固定刃５８の可動刃５４に対するクリアランスの調整が可能である。図９に示す状態において、可動刃５４を交換し、その交換された可動刃５４に対する固定刃５８の位置調整を、交換に連続して行うことが可能であり、その調整の作業の作業性も良好である。それらのことも、本刃交換治具８０を使用するメリットである。
【符号の説明】
【００２４】
１０：部品フィーダ    １４：基体フレーム〔フィーダ本体〕    ２０：リード切断装置    ４０：エアシリンダ    ４２：支持ブロック    ４４：固定部材    ４６：第１レバー    ４８：第２レバー    ５０：チップブレード    ５２：六角穴付ボルト〔締結材〕    ５４：可動刃    ５６：挟持部（第２レバーの）    ５８：固定刃    ６０：挟持部（固定部材の）    ６２：支持板    ６４：圧縮コイルスプリング〔第１付勢部材〕    ６６：引張コイルスプリング〔第２付勢部材〕    ６８：係止部    ７０：ローラ    ７２：カムブロック    ７４：第１レバー駆動機構    ８０：刃交換治具    ８２：雄ねじ    ８４：雄ねじロッド部〔突出部〕    ８６：ハンドル    ８８：ナット〔雌ねじ穴〕    ９０：ボルト    Ｐ：部品    Le：リード    CT：キャリアテープ    TP：テープ化部品
【図１】
2018111173.tif 000003
【図２】
2018111173.tif 000004
【図３】
2018111173.tif 000005
【図４】
2018111173.tif 000006
【図５】
2018111173.tif 000007
【図６】
2018111173.tif 000008
【図７】
2018111173.tif 000009
【図８】
2018111173.tif 000010
【図９】
2018111173.tif 000011